(57)【要約】【課題】消臭等の機能を付加しても、布地の風合いや肌触り等を生かすことができ、耐久性に優れ、洗濯も可能である布製品を提供する。【解決手段】布製品１０は、（ａ）布地１４と、（ｂ）炭の粉末を紙に抄き込むことにより製造され、炭の粉末を含有する炭入クレープ紙１６とを備える。布地１４は、外面１０ｓに露出するように配置される。炭入クレープ紙１６は、布地１４よりも内側に配置された状態で、布地１４とともに縫い合わされる。【選択図】図１
2010012679.tif 000002
【特許請求の範囲】
【請求項１】
布地と、
炭の粉末を紙に抄き込むことにより製造され、炭の粉末を含有する炭入クレープ紙と、
を備え、
前記布地は、外面に露出するように配置され、
前記炭入クレープ紙は、前記布地よりも内側に配置された状態で、前記布地とともに縫い合わされることを特徴とする、布製品。
【請求項２】
前記布地及び前記炭入クレープ紙が、開口を有する袋状に形成され、前記開口を閉じるための紐を備えた巾着袋であって、
前記炭入クレープ紙の皺が、前記開口から底に向かって延在することを特徴とする、請求項１に記載の布製品。
【請求項３】
前記布地と前記炭入クレープ紙とが、前記布同士を縫い合わせる箇所以外において、刺し縫いされていることを特徴とする、請求項１又は２に記載の布製品。
【請求項４】
一対の前記布地の間に前記炭入クレープ紙が配置され、
少なくとも一対の前記布地の周縁が縫い合わされ、かつ、前記周縁以外の箇所において、前記布地の少なくとも一方と前記炭入クレープ紙とが刺し縫いされていることを特徴とする、請求項１に記載の布製品。
【請求項５】
前記炭入クレープ紙は、梅の果実に含まれる種の炭化物の粉末を紙に抄き込むことにより製造されたものであることを特徴とする、請求項１乃至４のいずれか一つに記載の布製品。
【発明の詳細な説明】
【技術分野】
【０００１】
本発明は布製品に関し、詳しくは、消臭、除湿などの機能を付加した布製品に関する。
【背景技術】
【０００２】
従来、炭の粉末を含有する炭入紙は、炭の粉末により消臭、脱臭、除湿、防カビ等の機能を発揮する。このような機能に着目し、炭入紙を種々の製品に応用することが提案されている。（例えば、特許文献１、２参照）
布製品については、活性炭粉末を含有するパルプ紙を詰め物とする敷マットが提案されている。（特許文献３参照）
【特許文献１】特開２００７−８５０６７号公報
【特許文献２】特開２００７−１３０２７９号公報
【特許文献３】登録実用新案第３０５９７６３号公報
【発明の開示】
【発明が解決しようとする課題】
【０００３】
布地を縫い合わせた布製品において、消臭等の機能を付加する場合、布地自体がそのような機能を有するようにした布製品も提案されているが、高性能な布地を開発することは容易ではない。
【０００４】
布地の代わりに炭入紙を用いて製品を構成することも考えられる。しかし、布地のような風合いや肌触り等を炭入紙で実現することは、非常に困難である。また、例えば紙袋は、布製の袋に比べ、耐久性が劣り、洗濯も困難である。
【０００５】
本発明は、かかる実情に鑑み、消臭等の機能を付加しても、布地の風合いや肌触り等を生かすことができ、耐久性に優れ、洗濯も可能である布製品を提供しようとするものである。
【課題を解決するための手段】
【０００６】
本発明は、上記課題を解決するために、以下のように構成した布製品を提供する。
【０００７】
布製品は、布地と、炭の粉末を紙に抄き込むことにより製造され、炭の粉末を含有する炭入クレープ紙とを備える。前記布地は、外面に露出するように配置される。前記炭入クレープ紙は、前記布地よりも内側に配置された状態で、前記布地とともに縫い合わされる。
【０００８】
上記構成において、布地は、外面に露出するように配置されているので、布地の風合いや肌触り等を生かすことができる。炭入クレープ紙は伸縮性があり、破れにくいため、布地とともに縫い合わせることができる。
【０００９】
上記構成によれば、布製品が擦れたり、引っ張られたりしたときの強度は、主として布地が負担する。一方、炭入クレープ紙により、消臭、脱臭、除湿、防カビ等の機能を布製品に付加することができる。
【００１０】
炭の粉末を紙に抄き込むことにより製造された炭入クレープ紙は、炭の粉末の機能を低下させる原因となる糊や接着剤を用いずに、炭の粉末を保持することができるため、炭の粉末の機能を効果的に発揮させることができる。
【００１１】
炭入クレープ紙には皺があり、皺の方向には腰が強いため、布地が腰のない柔らかいものであっても、炭入クレープによって布製品の形状を保つことができる。そのため、布地の素材選択の自由度が増し、デザインが優れ、かつ、形状が崩れにくい布製品を実現できる。
【００１２】
好ましくは、布製品は、前記布地及び前記炭入クレープ紙が、開口を有する袋状に形成され、前記開口を閉じるための紐を備えた巾着袋である。前記炭入クレープ紙の皺が、前記開口から底に向かって延在する。
【００１３】
この場合、布製品は、巾着袋である。
【００１４】
炭入クレープ紙は、皺の延在方向には張りがあり、形状を真っ直ぐに保つ力が強いが、皺の延在方向に直角な方向には、張りがなく、形状を保持する力が弱い。
【００１５】
上記構成のように、巾着袋の開口部から底に向かう方向に、炭入クレープ紙の皺が延在すると、巾着袋の形状を保持しつつ、巾着袋の開閉が容易となる。
【００１６】
上記構成において、炭入クレープ紙にシート材を重ね、シート材が巾着袋の内面に露出し、外面に露出する布地とシート材との間に炭入クレープ紙が配置され、炭入クレープ紙が外部からは見えない構成としても構わない。この場合、巾着袋の内側に対して炭入クレープ紙の機能を発揮させるように、シート材には通気性のあるものを用いることが好ましい。
【００１７】
好ましくは、前記布地と前記炭入クレープ紙とが、前記布同士を縫い合わせる箇所以外において、刺し縫いされている。
【００１８】
この場合、布地と炭入クレープ紙とが重なっている状態は、刺し縫いによって保持され、布地と炭入クレープ紙とがある程度の余裕をもって一体化するので、炭入クレープ紙は布地に沿った状態で変形する。そのため、炭入クレープ紙にだけ折り曲げや引張りなどの無理な力が作用することを防ぐことで、布製品の使用時に炭入クレープ紙が破れにくくなり、洗濯に対する耐性も向上するため、布製品はより長く使用できるようになる。
【００１９】
好ましくは、一対の前記布地の間に前記炭入クレープ紙が配置される。少なくとも一対の前記布地の周縁が縫い合わされ、かつ、前記周縁以外の箇所において、前記布地の少なくとも一方と前記炭入クレープ紙とが刺し縫いされている。
【００２０】
この場合、布製品は、マット等である。一方又は両方の布地と炭入クレープ紙との間には、クッション材等を配置してもよい。
【００２１】
布地と炭入クレープ紙とが重なった状態が刺し縫いによって保持され、布地と炭入クレープ紙とがある程度の余裕をもって一体化するので、炭入クレープ紙だけに折り曲げなどの無理な力が作用しないようにすることができる。これによって、布製品の使用時に炭入クレープ紙が破れにくくなり、洗濯に対する耐性も向上するため、布製品はより長く使用できるようになる。
【００２２】
好ましくは、前記炭入クレープ紙は、梅の果実に含まれる種の炭化物の粉末を紙に抄き込むことにより製造されたものである。
【００２３】
この場合、産業廃棄物として捨てられている梅の種を資源として再生し活用する炭入クレープ紙を用いることで、地球環境に優しい布製品を提供することができる。
【発明の効果】
【００２４】
本発明によれば、布製品に消臭等の機能を付加しても、布地の風合いや肌触り等を生かすことができ、耐久性に優れ、洗濯も可能である。
【発明を実施するための最良の形態】
【００２５】
以下、本発明の実施の形態について、図１及び図２を参照しながら説明する。
【００２６】
＜実施例１＞  実施例１の巾着袋１０について、図１を参照しながら説明する。図１（ａ）は、巾着袋１０の平面図である。図１（ｂ）は、図１（ａ）の線Ｂ−Ｂに沿って切断した断面を模式的に示す断面図である。図１（ｃ）は、図１（ａ）の線Ｃ−Ｃに沿って切断した断面を模式的に示す断面図である。
【００２７】
図１に示すように、巾着袋１０は、上辺１０ｄに沿って開口１１を有する袋形状であり、開口１１に沿って、２本の紐１３ａ，１３ｂが通される紐通し部１２が形成されており、２本の紐１３ａ，１３ｂの端部を互いに離れる方向に引っ張ると、開口１１が狭められて閉じるようになっている。巾着袋１０の外面１０ｓには布地１４が露出し、巾着袋１０の内側１０ｔには炭入クレープ紙１６が露出する。布地１４と炭入クレープ紙１６とは重ね合わされている。
【００２８】
巾着袋１０は、通常の布地だけで出来ている巾着袋と同様の工程で容易に製造することができる。すなわち、略同じ寸法・形状の布地１４と炭入クレープ紙１６とを重ね合わせた状態で、底辺１０ａとなる部分で折り曲げ、裏返した状態で、布地１４を縫い合わせる部分、すなわち、巾着袋１０の両脇１０ｂ，１０ｃと紐通し部１２を、図１（ａ）において破線で模式的に示すように縫う。このとき、布地１４は炭入クレープ紙１６とともに縫い合わせる。その後、内外を反転して布地１４が表側になるようにするとともに、紐通し部１２に紐１３ａ，１３ｂを通して紐１３ａ，１３ｂの端部を結ぶ。
【００２９】
炭入クレープ紙１６は、炭の粉末を紙に抄き込むことにより製造され、炭の粉末を含有するクレープ紙である。炭入クレープ紙１６は、伸縮性があり、破れにくいクレープ紙であるため、布地１４とともに問題なく縫い合わせることができる。
【００３０】
炭入クレープ紙１６は、皺の延在方向が、大略、巾着袋１０の上辺１０ｄから底辺１０ａに向かう方向、すなわち、図１において上下方向に延在するように構成することが好ましい。炭入クレープ紙１６は、皺の延在方向には張りがあり、形状を真っ直ぐに保つ力が強いが、皺の延在方向に直角な方向には、張りがなく、形状を保持する力が弱い。そのため、炭入クレープ紙１６の皺が巾着袋１０の開口１１から底に向かう方向に延在すると、巾着袋１０の形状を保持しつつ、巾着袋１０の開閉が容易になる。
【００３１】
炭入クレープ紙１６には皺があり、皺の方向には腰が強いため、布地１４が腰のない柔らかいものであっても、炭入クレープ紙１６によって巾着袋１０の形状を保つようにすることができる。そのため、布地１４には、所望の風合い、肌触り等を有する素材を自由に用いることができるので、布地１４の素材選択の自由度が増し、デザインが優れ、かつ、形状が崩れにくい巾着袋１０を実現できる。
【００３２】
巾着袋１０は、布地１４が外面１０ｓに露出しており、巾着袋１０が擦れたり、引っ張られたりしたときの強度は、主として布地１４が負担する。一方、炭入クレープ紙１６に含有される炭の粉末により、消臭、脱臭、除湿、防カビ等の機能を巾着袋１０に付加することができる。
【００３３】
炭の粉末を含有する炭入紙には、糊や樹脂などのバインダーを使用したものもあるが、糊や樹脂で炭の粉末の機能が低下する。炭の粉末を紙に抄き込むことにより製造された炭入クレープ紙は、糊や樹脂を使わないで素材（原料）を固定するため、炭の粉末の機能効果の低下を防ぐことができる。
【００３４】
炭入クレープ紙１６には、例えば、山陽製紙株式会社から製造・販売されている商品名「梅炭（うめずみ）クレープ紙」が好ましい。この商品は、和歌山県の"梅"加工業から排出される廃棄物（梅の種）を、炭焼き技術により"リサイクル炭"として再資源化し、その"梅炭"を紙に抄き込み、炭の消臭などの機能をそのまま活かした地球環境にやさしい紙である。大切なものを包むだけでなく、臭いや湿気で困る場所（冷蔵庫、下駄箱、靴の中）などに置いて使うことができる。
【００３５】
この「梅炭クレープ紙」は、炭の粉末の機能を低下させる原因となる糊や接着剤を用いずに、炭の粉末を紙に抄き込むことにより製造されたものであり、基材中に保持された炭の粉末の機能を効果的に発揮させることができる上、産業廃棄物として捨てられている梅の種を資源として再生し活用するものであるため、炭入クレープ紙１６に用いることで、地球環境に優しい巾着袋１０を提供することができる。
【００３６】
巾着袋１０は、品物を運ぶ・守ることができるだけの袋ではなく、炭入クレープ紙１６により、消臭、脱臭等の機能が付加されているので、臭いや湿気が気になるもの等に使うと効果的である。例えば、旅行鞄の中に、靴や下着を巾着袋１０に入れた状態で収納すると、臭いや湿気がこもらない。炭入クレープ紙１６は、脱臭等に加え、野菜や果実の鮮度を保つ機能もあるため、巾着袋１０に野菜や果実等を入れてもよい。
【００３７】
＜変形例１＞  図１（ｂ）において鎖線で示すように、炭入クレープ紙１６にシート材１８を重ね、シート材１８が巾着袋１０の内側１０ｔに露出し、布地１４とシート材１８との間に炭入クレープ紙１６が配置され、炭入クレープ紙１６の両面が覆われ隠れてしまう構成としても構わない。この場合、シート材１８には、不織布やメッシュ生地等の通気性のある素材を用い、巾着袋１０の内側１０ｔに対して炭入クレープ紙１６の脱臭等の機能を発揮させるようにすることが好ましい。
【００３８】
＜変形例２＞  布地１４と炭入クレープ紙１６は、図１（ａ）において破線で示した布地１４を縫い合わせる部分以外の部分において、キルティング加工されることが望ましい。この場合、布地と炭入クレープ紙とが重なった状態が刺し縫いによって保持され、布地と炭入クレープ紙とがある程度の余裕をもって一体化するので、炭入クレープ紙だけに折り曲げなどの無理な力が作用しないようにすることができる。これによって、布製品の使用時に炭入クレープ紙が破れにくくなり、洗濯に対する耐性も向上するため、布製品はより長く使用できるようになる。
【００３９】
＜実施例２＞  実施例２のマット２０について、図２を参照しながら説明する。図２は、マット２０の要部拡大断面図である。
【００４０】
図２に示すように、マット２０は、表裏の布地２２，２３の間に、クッション材２５，２６を介して炭入クレープ紙２４が配置されている。すなわち、炭入クレープ紙２４の両側にはクッション材２５，２６が配置され、その外側に表裏の布地２２，２３が配置されている。
【００４１】
図示していないが、マット２０の外周縁において、表裏の布地２２，２３が縫い合わされ、表裏の布地２２，２３の間に、クッション材２５，２６と炭入クレープ紙２４とが閉じ込められている。マット２０の外周縁において、炭入クレープ紙２４は、表裏の布地２２，２３と縫い合わされても、縫い合わされなくてもよい。
【００４２】
図２に示すように、マット２０は、マット２０の外周縁より内側の部分において、キルティング加工されている。すなわち、表裏の布地２２，２３が刺し縫いされ、縫い糸２８は、クッション材２５，２６及び炭入クレープ紙２４を貫通しながら、表裏の布地２２，２３の間を往復している。
【００４３】
表裏の布地２２，２３と炭入クレープ紙２４とは、クッション材２５，２６を介して重なった状態が刺し縫いによって保持され、表裏の布地２２，２３と炭入クレープ紙２４とがある程度の余裕をもって一体化するので、炭入クレープ紙２４だけに折り曲げや引張りなどの無理な力が作用しないようにすることができる。これによって、マット２０は、使用時に炭入クレープ紙２４が破れにくくなり、洗濯に対する耐性も向上するため、長く使用できるようになる。
【００４４】
炭入クレープ紙２４は、炭の粉末を紙に抄き込むことにより製造され、炭の粉末を含有するクレープ紙であるため、マット２０に、消臭、脱臭、除湿、防カビ等の機能を付加することができる。マット２０は、種々の用途に使用することができる。
【００４５】
＜作製例＞  炭入クレープ紙２４に山陽製紙株式会社製「梅炭クレープ紙」を用いて、マット２０を作製し、試験を行った。次の表１及び表２は、財団法人日本紡績検査協会試験が発行した試験証明書の抜粋である。
【表１】
2010012679.tif 000003
【表２】
2010012679.tif 000004
【００４６】
作製したマット２０は、洗濯可能であり消臭性に優れており、例えばこたつ用マットに好適である。
【００４７】
＜まとめ＞  以上のように、布製品に炭入クレープ紙を組み合わせることによって、消臭等の機能を付加しても、布地の風合いや肌触り等を生かすことができ、耐久性に優れ、洗濯も可能である。
【００４８】
なお、本発明は、上記実施の形態に限定されるものではなく、種々変更を加えて実施することが可能である。
【００４９】
例えば、実施例２において、一方又は両方のクッション材をなくし、表裏の布地２２，２３の一方又は両方に炭入クレープ紙２４を直接重ね合わせるように構成してもよい。
【図面の簡単な説明】
【００５０】
【図１】巾着袋の（ａ）平面図、（ｂ）断面図である。（実施例１）
【図２】マットの要部拡大断面図である。（実施例２）
【符号の説明】
【００５１】
１０  巾着袋
１０ａ  底辺
１０ｂ，１０ｃ  側辺
１０ｄ  上辺
１０ｓ  外面
１１  開口部
１２  紐通し部
１３ａ，１３ｂ  紐
１４  表地
１６  炭入クレープ紙
１８  裏地
２０  マット
２２  表布
２３  裏布
２４  炭入クレープ紙
２５，２６  クッション材
２８  縫い糸
【図１】
2010012679.tif 000005
【図２】
2010012679.tif 000006